【手続補正書】
【提出日】平成31年2月1日(2019.2.1)
【手続補正１】
【補正対象書類名】明細書
【補正対象項目名】０００３
【補正方法】変更
【補正の内容】
【０００３】
【特許文献１】特開２００１−１９８０９７号公報
【特許文献２】特開２００２−０３４９４３号公報
【特許文献３】特許第５１４９０１８号公報
【手続補正２】
【補正対象書類名】明細書
【補正対象項目名】０００７
【補正方法】変更
【補正の内容】
【０００７】
すなわち、本発明の要旨とするところは、（ａ）可撓性シースの先端部における気道内の気体流量を測定するための気道内気体流量測定装置であって、（ｂ）前記可撓性シースに通される気流測定用カテーテルの先端部に一体または別体に設けられた円筒状の第１センサ基材と、（ｃ）前記第１センサ基材の外周面に円筒状に巻かれた状態で固定された可撓性の第１回路基材フィルムと、（ｄ）前記第１回路基材フィルムの外周面に形成された１または２の第１ヒータ素子とを有する気流センサと、（ｅ）前記気流測定用カテーテル内を通して設けられた操作ワイヤと、（ｆ）先端部および後端部が互いに束ねられた複数本の弾性ワイヤから構成されて前記操作ワイヤの先端部に設けられ、前記気流測定用カテーテルの先端から突き出されることで拡径する拡径バスケットとを、含むことにある。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
このようにすれば、第１センサ基材の外周面に円筒状に巻かれた状態で固定された可撓性の第１回路基材フィルムの外周面に形成された１または２の第１ヒータ素子が形成されるとともに、気流測定用カテーテルの先端から突き出されることで拡径する拡径バスケットが、第１気流センサを気道内の中央に位置させることから、一端が気流測定用カテーテルに固定された円筒状のセンサ基材の側面に形成された通気穴と他端の開口との間を測定気体が通される形式の従来に比較して、気道内の流通抵抗が小さくなり、しかも気道内の粘液の滞留や詰まりが発生し難い構造であるので、気体流量が正確かつ容易に測定される。
【手続補正１０】
【補正対象書類名】明細書
【補正対象項目名】００１５
【補正方法】変更
【補正の内容】
【００１５】
ここで、好適には、（ａ）可撓性シースの先端部における気道内の気体流量を測定するための気道内気体流量測定装置であって、（ｂ）前記可撓性シースに通される気流測定用カテーテル内を通して設けられた操作ワイヤと、（ｃ）先端部および後端部が互いに束ねられた複数本の弾性ワイヤから構成されて前記操作ワイヤの先端部に設けられ、前記気流測定用カテーテルの先端から突き出されることで拡径する拡径バスケットと、（ｄ）前記拡径バスケットの先端部に設けられた円柱状或いは円筒状の第２センサ基材と、（ｅ）その第２センサ基材の外周面に円筒状に巻かれた状態で固定された可撓性の第２回路基材フィルムと、（ｆ）その第２回路基材フィルムの外周面に形成された１または２の第２ヒータ素子とを有する気流センサとを、含むことにある。このように構成された気道内気体流量測定装置によれば、第２センサ基材の外周面に円筒状に巻かれた状態で固定された可撓性の第２回路基材フィルムの外周面に第２ヒータ素子が形成されるとともに、気流測定用カテーテル内を通る操作ワイヤが突き出し操作されることで拡径する拡径バスケットが、第２気流センサを気道内の中央に位置させることから、一端が気流測定用カテーテルに固定された円筒状のセンサ基材の側面に形成された通気穴と他端の開口との間を測定気体が通される形式の従来に比較して、気道内の流通抵抗が小さくなり、しかも気管支内の粘液の滞留や詰まりが発生し難い構造であるので、気体流量が正確かつ容易に測定される。
【手続補正１１】
【補正対象書類名】明細書
【補正対象項目名】００１６
【補正方法】変更
【補正の内容】
【００１６】
また、好適には、（ａ）可撓性シースの先端部における気道内の気体流量を測定するための気道内気体流量測定装置であって、（ｂ）前記可撓性シースに通される気流測定用カテーテルの先端部に一体または別体に設けられた円筒状の第１センサ基材と、（ｃ）前記第１センサ基材の外周面に円筒状に巻かれた状態で固定された可撓性の第１回路基材フィルムと、（ｄ）前記第１回路基材フィルムの外周面に形成された１または２の第１ヒータ素子とを有する第１気流センサと、（ｅ）前記気流測定用カテーテル内を通して設けられた操作ワイヤと、（ｆ）先端部および後端部が互いに束ねられた複数本の弾性ワイヤから構成されて前記操作ワイヤの先端部に設けられ、前記気流測定用カテーテルの先端から突き出されることで拡径する拡径バスケットと、（ｇ）前記拡径バスケットの先端部に設けられた円柱状或いは円筒状の第２センサ基材と、（ｈ）前記第２センサ基材の外周面に円筒状に巻かれた状態で固定された可撓性の第２回路基材フィルムと、（ｉ）前記第２回路基材フィルムの外周面に形成された１または２の第２ヒータ素子とを有する第２気流センサとを、含むことにある。このように構成された気道内気体流量測定装置によれば、第１センサ基材の外周面に円筒状に巻かれた状態で固定された可撓性の第１回路基材フィルムの外周面に第１ヒータ素子が形成されるとともに、第２センサ基材の外周面に円筒状に巻かれた状態で固定された可撓性の第２回路基材フィルムの外周面に第２ヒータ素子が形成され、気流測定用カテーテル内を通る操作ワイヤが突き出し操作されることで拡径する拡径バスケットが、第１気流センサおよび第２気流センサを気道内の中央に位置させることから、一端が気流測定用カテーテルに固定された円筒状のセンサ基材の側面に形成された通気穴と他端の開口との間を測定気体が通される形式の従来に比較して、気道内の流通抵抗が小さくなり、しかも気道内の粘液の滞留や詰まりが発生し難い構造であるので、気体流量が正確かつ容易に測定される。また、気道内において、拡径バスケットの両側に第１気流センサおよび第２気流センサが設けられるので、第１ヒータ素子および第２ヒータ素子のうちの気道内で気体の上流側に位置するヒータ素子を用いて気体流量を測定することにより、拡径バスケットによって乱されずかつ上流側のヒータ素子による温度ノイズのない気流を用いて一層正確に気体流量が測定される。
【手続補正１２】
【補正対象書類名】明細書
【補正対象項目名】００２１
【補正方法】変更
【補正の内容】
【００２１】
また、好適には、（ａ）可撓性シースの先端部における気道内の気体流量を測定するための気道内気体流量測定装置であって、（ｂ）前記可撓性シースに通される気流測定用カテーテルの先端部に一体的または別体に設けられた円筒状の第１センサ基材と、（ｃ）前記第１センサ基材の先端から出し入れされる操作ワイヤと、（ｄ）先端部および後端部が互いに束ねられた複数本の弾性ワイヤから構成されて前記操作ワイヤの先端部に設けられ、前記気流測定用カテーテルの先端から突き出されることで拡径する拡径バスケットと、前記拡径バスケット内において前記操作ワイヤのうち前記拡径バスケットの長手方向の中央部に位置する部分に円筒状に巻かれた状態で固定された可撓性の第１回路基材フィルムと、前記第１回路基材フィルムの外周面に形成された１または２の第１ヒータ素子とを有する気流センサとを、含む。このようにすれば、気道内の中央に気流センサが位置させられることから、気道内の流通抵抗が小さくなり、しかも気道内の粘液の滞留や詰まりが発生し難い構造であるので、気体流量が正確かつ容易に測定される。特に、気流センサが拡径バスケット内の軸方向の中央および横断面の中央に位置していて、気体流量が一層正確に測定される。